(57)【特許請求の範囲】
【請求項１】
盤内に据付けた回路しゃ断器を盤外からのハンドル操作で開閉するための外部操作ハンドル装置であって、盤の扉前面にマウントしたハンドルユニットと、一端にしゃ断器のハンドルと着脱自在に結合するホルダ，他端にハンドルユニットのラッチ機構と係合する掛け具を備えた連結シャフトと、該連結シャフトを支えてしゃ断器本体のケースに固定したシャフトガイドとの組立体からなり、かつハンドルユニットは操作ハンドルのＯＦＦ位置で前記掛け具との係合を釈放するようにしたものにおいて、前記シャフトガイドを、しゃ断器のハンドル周域を覆うコ字形のフレームとなし、その前面中央に開口した軸穴に前記シャフトを嵌挿した上で、フレーム両サイドの脚部をしゃ断器のケースに係止固定により着脱可能に固定したことを特徴とする回路しゃ断器の外部操作ハンドル装置。
【請求項２】
請求項１記載の外部操作ハンドル装置において、シャフトガイドの脚部先端に係合爪を形成し、該係合爪をしゃ断器のケース側面に形成した凹溝に嵌め込んでスナップ結合したことを特徴とする回路しゃ断器の外部操作ハンドル装置。
【発明の詳細な説明】
【０００１】
【発明の属する技術分野】
本発明は、盤内に据付けた回路しゃ断器を盤外からのハンドル操作で開閉する外部操作ハンドル装置に関する。
【０００２】
【従来の技術】
配電用しゃ断器，漏電しゃ断器などを対象とした回路しゃ断器の外部付属装置として、配電盤，制御盤などの盤内に据付けた回路しゃ断器を盤外からのハンドル操作で開閉する外部操作ハンドル装置が知られている。
この外部操作ハンドル装置は、盤内に設置した回路しゃ断器のハンドルと盤の扉前面にマウントしたハンドルユニットとの間を連結し、ハンドルユニットのハンドル操作によりしゃ断器を開閉するものであり、小形の制御盤などではハンドルユニットが盤のドアハンドルを兼用し、かつ安全のために回路しゃ断器がＯＮ状態では盤の扉が開くのを禁止するようなインターロック機能を備えている。
【０００３】
ここで、ハンドルユニットは、扉パネルに取付けたハンドルボディに回転式の操作ハンドルを備え、操作ハンドルをＯＮ，ＯＦＦ，ＲＥＳＥＴ位置に回転して切換えるようにした構造で、前記操作ハンドルをラッチ機構を介して盤内に設置したしゃ断器のハンドルに直接連結するか、しゃ断器と盤の扉との間に間隔が空いていて直接連結できない場合には、しゃ断器のハンドルとハンドルユニットの操作ハンドルとの間を連結シャフトを介して連繋するようにしている。
【０００４】
また、連結シャフトを使用する場合には、シャフトの一端にしゃ断器のハンドルに着脱可能に差込み結合するホルダ，他端にはハンドルユニットの裏面側に設けたラッチ機構に嵌め合い係合するプラグ状の掛け具を設け、シャフトの軸中間部分をしゃ断器のケースにねじ止め固定して前方に突き出したハンドルガイドに軸支して定姿勢に支えるようにしている。
【０００５】
かかる構成で、盤の扉を閉じるとシャフト先端に取付けた掛け具がハンドルユニットのラッチ機構に嵌まり込んで抜けないように係合し、同時に扉を閉位置にロックする。この状態で操作ハンドルをＯＮ位置に回すと連結シャフトを介してしゃ断器がＯＮとなり、ＯＦＦ位置に回すとしゃ断器がＯＦＦとなる。また、扉を開く場合には、ハンドルユニットの操作ハンドルをＯＦＦ位置に戻した上で、錠付きドアロックを解錠して扉を開く。なお、操作ハンドルをＯＦＦ位置に回すと、前記したラッチ機構とシャフトの掛け具との係合が外れるようになっており、扉を開くとハンドルユニットとシャフトとの連結が外れる。
【０００６】
【発明が解決しようとする課題】
ところで、従来構造の外部操作ハンドル装置は、取扱性，安全性の面で次に記すような問題点がある。すなわち、
(1) 盤内の保守点検作業を行う場合は、回路しゃ断器をＯＦＦにした上で扉を開くわけであるが、扉の開放状態で盤内に露呈しているしゃ断器のハンドルをＯＦＦからＯＮに操作すると、盤内の回路が活線状態となるので誤って感電するおそれがあることから、扉の開放状態ではしゃ断器のハンドルが操作できないようにすることが安全確保の面から必要である。
【０００７】
(2) また、扉を開放する際の操作手順を誤って、操作ハンドルをＯＦＦ位置に戻さずに扉のドアロックを外し、ハンドルユニットがＯＮ位置のままで大きな力を加えて扉を強引に開けようとすると、係合状態にあるシャフトの掛け具とハンドルユニットのラッチ機構（いずれも樹脂成形品）との間に過大な力が加わって破損してしまい、再使用不可となることがある。
【０００８】
本発明は上記の点に鑑みなされたものであり、前記課題を解決して盤内点検時における感電防止の安全性を高め、併せて扉開放時に扉をロック状態のまま強引に開こうとした場合における部品の破損を防止するように改良した回路しゃ断器の外部操作ハンドル装置を提供することにある。
【０００９】
【課題を解決するための手段】
上記目的を達成するために、本発明によれば、盤の扉前面にマウントしたハンドルユニットと、一端にしゃ断器のハンドルと着脱自在に結合するホルダ，他端にハンドルユニットのラッチ機構と係合する掛け具を備えた連結シャフトと、該連結シャフトを支えてしゃ断器本体のケースに固定したシャフトガイドとの組立体からなり、かつハンドルユニットは操作ハンドルのＯＦＦ位置で前記掛け具との係合を釈放するようにしたものにおいて、
前記シャフトガイドを、しゃ断器のハンドル周域を覆うコ字形のフレームとなし、その前面中央に開口した軸穴に前記シャフトを嵌挿した上で、フレーム両サイドの脚部をしゃ断器のケースに係止固定により着脱可能に固定する（請求項１）ようにし、その固定手段として前記シャフトガイドの脚部先端に係合爪を形成し、該係合爪をしゃ断器のケース側面に形成した凹溝に嵌め込んでスナップ結合する（請求項２）。
【００１０】
かかる構成によれば、まず、しゃ断器のハンドルはその周域がシャフトガイドに覆われてガードされているために、扉を開いた状態ではしゃ断器のハンドルを直接操作してＯＮに切り換えることができず、これにより盤内での点検作業が感電のおそれなしに安全に行える。
また、盤を開ける際の手順を誤って、ハンドルユニットをＯＦＦ位置に戻さずにＯＮのまま大きな力を加えて扉を無理やりに開けようとすると、係合状態にあるシャフトの掛け具，ハンドルユニットのラッチが過大な力を受けて破損する以前に、シャフトガイドとしゃ断器ケース間のスナップ結合が外れ、ハンドルユニットにシャフトが繋がったままシャフトガイドと一緒にしゃ断器かから抜け出す。これにより、強引な扉開放によって部品が破損することがなく、ハンドルユニットをＯＦＦ位置に回してシャフトとの結合を外した上で、連結シャフト回路しゃ断器に組付け直すことで、当初の状態に戻して再使用することができる。
【００１１】
【発明の実施の形態】
以下、本発明の実施の形態を図１〜図４に示す実施例に基づいて説明する。
各図において、１は盤内に据付けた配線用しゃ断器などの回路しゃ断器、２は盤の扉パネル７にマウントしたハンドルユニット、３はしゃ断器１とハンドルユニット２との間を連繋する連結シャフト、４はシャフト３を支持するシャフトガイド、５はシャフト３の一端にねじ止めして回路しゃ断器１のハンドル（回転式ハンドル）１ａへ前方から着脱自在に差込み結合するホルダ、６はシャフト３の他端に固着してハンドルユニット２と嵌め合い係合するプラグ（掛け具）であり、これら部品２〜６で外部操作ハンドル装置を構成している。
【００１２】
ここで、ハンドルユニット２はハンドルボディ２ａと、回転式の操作ハンドル２ｂとの組立体からなり、図示してないが操作ハンドル２ｂの裏面側には前記したプラグ６と嵌め合い係合するラッチ機構が設けてある。なお、操作ハンドル２ｂは縦向き位置でＯＮ，ここから反時計方向に９０°回した横向き位置がＯＦＦであり、連結シャフト３を結合してハンドルユニット２としゃ断器１との間を連繋した状態で、操作ハンドル２ｂをＯＮ／ＯＦＦ位置に回すとシャフト３を介してしゃ断器１のハンドル１ａがＯＮ／ＯＦＦ位置に移動する。また、プラグ６をハンドルユニット２のラッチ機構に嵌め込んだ状態で操作ハンドル２ｂをＯＦＦ位置に回すと、そのラッチ機構のロックが釈放されてプラグ６がシャフト３とともに自由に抜けるような仕掛けになっている。
【００１３】
また、シャフトガイド４は、連結シャフト３をしゃ断器１のハンドル１ａに取付けた状態で抜け落ちないように水平姿勢に支持するとともに、ハンドル１ａの周囲を囲ってハンドルを直接手動で操作できないようにするガードカバーの役目を果しており、図示のようにしゃ断器１の前方に突き出してハンドル１ａの周囲を覆う幅広なコ字形のフレーム（樹脂成形品）としてなり、その前壁中央に開口した軸穴４ａに連結シャフト３を嵌挿して軸支するとともに、左右両サイドに突き出た脚部の先端に形成した突起状の係合爪４ｂをしゃ断器１のケース側面に形成した凹溝１ｂへ嵌め合い式にスナップ結合してしゃ断器１のケースに係止固定するようにしている。
【００１４】
次に、前記構成になる外部操作ハンドル装置の操作，機能を図２〜図４で説明する。
まず、図２は盤内に据付けた回路しゃ断器１と扉７のパネル前面にマウントしたハンドルユニット２とを連結した使用状態を表す図であり、回路しゃ断器１のハンドル１ａはホルダ５，連結シャフト３，プラグ６（図１参照）を介してハンドルユニット２に連結され、かつシャフト３はその中間軸がしゃ断器ケースに取付けたシャフトガイド４に支持されている。また、図示のハンドルＯＮの状態ではシャフト３のプラグ６とハンドルユニット２のラッチ機構とが係合して扉７が開かないようにインターロックしている。したがって、この状態では扉７のドアロックを解錠しても扉は開らかない。
【００１５】
また、図１の状態から盤内を点検するために扉７を開くには、ハンドルユニット２の操作ハンドル２ｂを一旦ＯＦＦ位置に回してしゃ断器１をＯＦＦにする。このＯＦＦ操作により、ハンドルユニット２とシャフト３に取付けたプラグ６との係合が釈放される。したがって、この状態で扉７のドアロックを解錠すれば扉を自由に開くことができるようになる。
【００１６】
図３は前記の操作手順を経て盤の扉を開いた状態を表している。この扉開放の状態では、盤内に据付けけた回路しゃ断器１のハンドル１ａの周域がしゃ断器ケースに取付けたコ字形フレームのシャフトガイド４で覆われてガードされているため、ハンドル１ａに直接手を掛けてしゃ断器１をＯＦＦの状態からＯＮに切換え操作することが殆ど不可能である。これにより、盤内の点検作業を感電事故の心配なしに安全に行うことができる。
【００１７】
一方、図４は、扉７を開く際にハンドルユニット２の操作ハンドル２ｂをＯＮ位置からＯＦＦ位置に戻さずに扉７のドアロックを解錠し、そのまま扉に手を掛けて大きな力で強引に扉７を開いた状態を表している。すなわち、操作ハンドル２ｂのＯＮ位置では、ハンドルユニット２のラッチ機構と連結シャフト３のプラグ（図１参照）とがロック状態にあるために通常の力では扉７が開かないが、大きな力を加えて扉７を無理やりに開こうとすると、その力が連結シャフト３を支えているシャフトガイド４に加わる。そのためにシャフトガイド４の板面が撓んでその脚部先端の係合爪４ｂがしゃ断器ケースの凹溝１ｂから抜け出してスナップ結合が外れる。その結果、図示のように連結シャフト３に取付けたホルダ５がハンドル１ａから抜け、シャフトガイド４とともにシャフト３がハンドルユニット２に連なったまま扉７と一緒に前方に引き出される。
【００１８】
つまり、扉７を無理やり力を加えて開こうとしても、ロック状態にあるハンドルユニット２のラッチ機構，連結シャフト３に取付けたプラグ６などの部品（樹脂成形品）が過大な外力で破損することがなく、その事後処理としてハンドルユニット２の操作ハンドル２ｂをＯＦＦ位置に回して連結シャフト３を抜き外した上で、改めて連結シャフト３，シャフトガイド４を回路しゃ断器１に組付けけることで、当初の組立状態に修復することができる。
【００１９】
【発明の効果】
以上述べたように、本発明の構成によれば、次記の効果を奏する。
シャフトガイドを、しゃ断器のハンドル周域を覆うコ字形のフレームとなし、その前面中央に開口した軸穴に前記シャフトを嵌挿した上で、フレーム両サイドの脚部をしゃ断器のケースに係止固定により着脱可能に固定したことにより、前記シャフトガイドがしゃ断器のハンドル周囲を覆うガードカバーの役目を果たすので、扉を開いた状態でも盤内に据付けた回路しゃ断器のハンドルに手をかけて直接ＯＮ操作することが殆ど不可能である。これにより、扉を開いて行う盤内の点検作業が感電のおそれなしに安全に行うことができる。
また、盤の扉を開放する際の操作手順を誤って、ハンドルユニットの操作ハンドルをＯＦＦ位置に戻さずにＯＮ位置のまま過大な力で扉を無理やりに開こうとしても、シャフトガイドのスナップ結合が外れるだけでハンドル装置の部品が破損されずに済む。したがって、外れた部品を組付け直すことで元の状態に修復して再使用することができる。
【図面の簡単な説明】
【図１】本発明の実施例による外部操作ハンドル装置の分解斜視図
【図２】盤内に据付けた回路しゃ断器を扉のパネル前面に取付けたハンドルユニットで開閉操作する外部操作ハンドル装置の使用状態を表す図
【図３】図２の状態からハンドルユニットの扉インターロックを解除して扉を開き、ハンドルユニットを回路しゃ断器から切り離した盤内点検の状態を表す図
【図４】図２の状態からハンドルユニットの扉インターロックを解除せずに扉を強引に開いた場合の状態を表す図
【符号の説明】
１    回路しゃ断器
１ａ  ハンドル
１ｂ  凹溝
２    ハンドルユニット
２ｂ  操作ハンドル
３    連結シャフト
４    シャフトガイド
４ｂ  係合爪
５    ホルダ
６    プラグ（掛け具）
７    扉
【図１】
0004253699.tif 000002
【図２】
0004253699.tif 000003
【図３】
0004253699.tif 000004
【図４】
0004253699.tif 000005